(57)【特許請求の範囲】
【請求項１】
手摺り材の端部同士を連結する手摺りの連結構造において、一方の手摺り材の端面に手摺り材の外径よりもやや大きい外径を有する基台を取付け、該基台の外周面に雄ねじ部を形成し、該基台を取り付けた一方の手摺り材の端部に同手摺り材の長手方向に移動自在な円筒体を被嵌し、円筒体の前記一方の手摺り材側の内周面に基台の外径よりも小さい内径を有するねじ無し部を形成すると共に他方の手摺り材側の内周面に前記雄ねじ部と螺合する雌ねじ部を形成し、基台の雄ねじ部と円筒体の雌ねじ部とを螺合すると共にこの螺合された円筒体の基台よりも前記他方の手摺り材側に突出した雌ねじ部で前記他方の手摺り材の端部を被嵌して成ることを特徴とする手摺りの連結構造。
【発明の詳細な説明】
【０００１】
【発明の属する技術分野】
本発明は、手摺り材の端部同士を連結する手摺りの連結構造に関するものである。
【０００２】
【従来の技術】
従来から、図３に示すように連結部材１０を介して手摺り材１の端部同士を連結する手摺りの連結構造が知られている。このものにおいては、図に示されるように筒部１１の内部に仕切り板１３を一体に設けて連結部材１０を形成し、この連結部材１０の一方の開口部より一方の手摺り材１ａの端部を内嵌して連結部材１０の仕切り板１３にビス１２固定し、他方の開口部より他方の手摺り材１ｂの端部を内嵌して筒部１１にビス１２固定していた（特許文献１参照）。
【０００３】
また別の従来例として、図示は省略するが、一方の手摺り材１ａの端部に第１キャップ体を嵌合被着し、第一キャップ体の前端面中央に軸ピンを突設し、該第一キャップ体の外側に円筒体を回動自在に遊嵌し、該円筒体の後端内周に内鍔片が突設されてこの内鍔片が同第一キャップ体の後端周縁部に摺動自在に係合されると共に同円筒体の内周面に雌ねじ部が形成され、他方の手摺り材１ｂの端部に第二キャップ体を嵌合被着し、この第２キャップ体の外周面に雄ねじ部が形成され、第二キャップ体に前記軸ピンが挿入係合される軸受け穴を凹設し、前記円筒体を回動させその雌ねじ部を第二キャップ体の雄ねじ部に螺号させると共に前記第一キャップ体の軸ピンを第二キャップ体の軸受け穴に挿入係合して第一キャップ体と第二キャップ体とを連結し、これにより一方の手摺り材１ａと他方の手摺り材１ｂとを連結する手摺りの連結構造が知られている（特許文献２参照）。
【０００４】
また別の従来例として、図示は省略するが、一方の手摺り材１ａの端部に第１キャップ体を嵌合被着し、該第一キャップ体の前端に鍔状体を突設して該鍔状体と第一キャップ体の前端との間の外周部分に摺動用溝を形成し、同鍔状体の外側に円筒体を回動自在に遊嵌し、該円筒体の後端内周縁に内鍔片を突設して該内鍔片を前記摺動用溝に摺動自在に係合すると共に同円筒体の内周面に雌ねじ部を形成し、他方の手摺り材１ｂの端部に第二キャップ体を嵌合被着し、該第二キャップ体の前端に円形凸部を突設して該円形凸部の外周面に雄ねじ部を形成し、前記円筒体を回動させその雌ねじ部を同雄ねじ部に螺号させて第一キャップ体と第二キャップ体とを連結し、これにより一方の手摺り材１ａと他方の手摺り材１ｂとを連結する手摺りの連結構造が知られている（特許文献３参照）。
【０００５】
【特許文献１】
特開平１１−９３３６６号公報
【０００６】
【特許文献２】
特開平８−２７０１６８号公報
【０００７】
【特許文献３】
特開平８−１９９７５４号公報
【０００８】
【発明が解決しようとする課題】
しかしながら上記特許文献１に示す従来例においては、壁紙を貼る時や、引っ越しの荷物を搬入する時、手摺り材１を交換する時等に、多数連結された手摺り材１のうち中間部分の手摺り材１を取り外す場合、連結部材１０と他方の手摺り材１ｂの端部とを固定するビス１２を取り外した後、どちらか一方の手摺り材１を長手方向に移動させて連結部材１０から他方の手摺り材１を引き抜かなければ中間部分の手摺り材１を取り外すことができず、この場合、手摺り材１を移動させるには、移動させる手摺り材１よりも手摺り材１の移動方向側にある全ての手摺り材１の連結と、手摺り材１の移動方向側の最端部にある手摺り材１の他部材への固定とを解除しなければならない。すなわち、この従来例においては多数連結された手摺り材１のうち中間部分の手摺り材１だけを取り外すことができず、中間部分の手摺り材１を取り外す場合は、取り外す手摺り材１以外の手摺り材１の連結及び固定も解除しなければならず、これにより手摺り材１の取り外し作業が非常に面倒であった。またこのように多数連結された手摺り材１のうち中間部分の手摺り材１だけを取り外すことができないため、中間部分の手摺り材１を取り外した後に再度手摺り材１を連結してもとの連結状態に戻す作業においても、取り外した全ての手摺り材１を連結しなければならず非常に面倒であった。
【０００９】
また上記特許文献２及び特許文献３に示される従来例においても、手摺り材１を取り外す場合には、軸ピンを軸受け穴から引き抜く際（特許文献２）や、円筒体から円径凸部を引き抜く際（特許文献３）において、どちらか一方の手摺り材１を長手方向に移動させなければならず、上記特許文献１の場合と同様に多数連結された手摺り材１のうち中間部分の手摺り材１だけを取り外すことができず、手摺り材１の取り外し作業が非常に面倒であった。また特にこの特許文献２及び特許文献３に示される従来例においては、手摺り材１同士を連結させるための部品数が多いため、手摺り材１の連結作業及び取り外し作業がより一層面倒なものとなっていた。
【００１０】
本発明は上記の点に鑑みてなされたものであり、その目的とするところは、簡単な構成で手摺り材の端部同士を連結でき、尚且つ多数連結された手摺り材のうち中間部分の手摺り材だけを取り外す場合において、容易に手摺り材の連結及び連結された手摺り材の取り外しを行える手摺りの連結構造を提供することを課題とするものである。
【００１１】
【課題を解決するための手段】
上記課題を解決するために本発明に係る手摺りの連結構造は、手摺り材１の端部同士を連結する手摺りの連結構造において、一方の手摺り材１ａの端面に手摺り材１の外径よりもやや大きい外径を有する基台４を取付け、該基台４の外周面に雄ねじ部３を形成し、該基台４を取り付けた一方の手摺り材１ａの端部に同手摺り材１ａの長手方向に移動自在な円筒体５を被嵌し、円筒体５の前記一方の手摺り材１ａ側の内周面に基台４の外径よりも小さい内径を有するねじ無し部９を形成すると共に他方の手摺り材１ｂ側の内周面に前記雄ねじ部３と螺合する雌ねじ部６を形成し、基台４の雄ねじ部３と円筒体５の雌ねじ部６とを螺合すると共にこの螺合された円筒体５の基台４よりも前記他方の手摺り材１ｂ側に突出した雌ねじ部６で前記他方の手摺り材１ｂの端部を被嵌して成ることを特徴とするものである。
【００１２】
このように基台４の雄ねじ部３と円筒体５の雌ねじ部６とを螺合すると共にこの螺合された円筒体５の基台４よりも他方の手摺り材１ｂ側に突出した雌ねじ部６で他方の手摺り材１ｂの端部を被嵌することで、一方の手摺り材１ａと他方の手摺り材１ｂとを連結でき、尚且つ手摺り材１の連結の解除は、手摺り材１を長手方向に移動させることなく円筒体５の雌ねじ部６と基台４の雄ねじ部３との螺合を解除するだけで行えるため、多数連結された手摺り材１のうち中間部分の手摺り材１を取り外す場合には、中間部分の手摺り材１の両端部の連結を解除して中間部分の手摺り材１だけを取り外すことが可能となる。また、このように中間部分の手摺り材１のみを取り外すことができるため、中間部分の手摺り材１を取り外した後に再度手摺り材１を連結してもとの連結状態に戻す場合においても、中間部分の手摺り材１だけを取付けるだけでもとの連結状態に戻すことができる。さらに両手摺り材１ａ、１ｂは円筒体５と基台４のみで連結されているため、簡単な構成で手摺り材１を連結することができる。また、円筒体５の一方の手摺り材１ａ側の内周面に基台４の外径よりも小さい内径を有するねじ無し部９を形成することで、手摺り材１の取り外し作業において、たとえ誤って円筒体５を螺合する方向と反対側に回動させようとしても、基台４に円筒体５のねじ無し部９が接触し、これにより手摺り材１の取り外し時における円筒体５の誤った方向への回動を防止でき、また雌ねじ部６を有する円筒体５を一方の手摺り材１ａの端部に被嵌することで、手摺り材１を連結していない状態において、たとえ円筒体５が他方の手摺り材１ｂ側に移動して脱落しようとしても、基台４の雄ねじ部３に円筒体５の雌ねじ部６が接触し、これにより一方の手摺り材１ａからの円筒体５の脱落を防止できる。
【００１３】
【発明の実施の形態】
以下、本発明を添付図面に示す実施形態に基づいて説明する。なお、本発明の手摺りの連結構造は、少なくとも３本以上の手摺り材１を連結して構成した手摺りの連結部分に適用されるものである。
【００１４】
図１及び図２に示す本実施形態における手摺りの連結構造は円柱形状の手摺り材１の端部同士を基台４及び円筒体５を介して連結するものである。
【００１５】
上記連結される手摺り材１のうち、一方の手摺り材１ａの端面（他方の手摺り材１ｂの端面に対向する端面）には手摺り材１の外径よりもやや大きな外径を有する円柱形状の基台４が取付けられている。この基台４の取付けは、基台４に穿孔した複数の固着具用孔７の夫々に基台４側（他方の手摺り材１ｂ側）からねじのような固着具８を挿入して、これら固着具８の先端を一方の手摺り材１ａの端部に固着することで行われる。なお、本実施形態においては、上記固着具８として皿ねじを使用しており、これにより基台４の他方の手摺り材１ｂ側の端面は面一となり、後述する連結作業時において他方の手摺り材１ｂの端面と固着具８の頭部とが干渉せず、しっかりと連結することができる。また上記基台４の外周面には軸方向（手摺り材１の長手方向）全長に亘って雄ねじ部３が形成されている。
【００１６】
円筒体５は手摺り材１を連結していない状態において、図１（ａ）に示すように基台４を取り付けた一方の手摺り材１ａの端部に手摺り材１ａの長手方向に移動自在に被嵌されている。円筒体５の内周面には軸方向（手摺り材１ａの長手方向）における基台４の反対側の端部（一方の手摺り材１ａ側の端部）を除いて基台４の雄ねじ部３と螺合する雌ねじ部６が形成されており、この雌ねじ部６の軸方向における長さは基台４の軸方向における長さよりも長くなっている。そして円筒体５の内周面の軸方向における基台４の反対側の端部は雌ねじのないねじ無し部９が形成されている。ねじ無し部９の内径は手摺り材１の外径と略同じである。つまりねじ無し部９は基台４の外径よりも小さい内径を有している。
【００１７】
手摺り材１の連結作業は、一方の手摺り材１ａに被嵌した円筒体５を他方の手摺り材１ｂ側に移動し、その後、円筒体５を回動させて基台４の雄ねじ部３と円筒体５の雌ねじ部６とを螺合することで行われる。この場合、螺合を進めると、円筒体５は他方の手摺り材側１ａに移動し、そして円筒体５の雌ねじ部３側の端面が基台４よりも他方の手摺り材１ａ側に一定量突出すると、円筒体５のねじ無し部９が基台４の外周部の一方の手摺り材１ａ側の端部に係止されてそれ以上螺合を進めることができない状態となり、これにより円筒体５が図１（ｂ）に示すように位置決め係止される。しかして基台４の雄ねじ部３と円筒体５の雌ねじ部６とが螺合して円筒体５が基台４に固着されると共にこの螺合された円筒体５の基台４よりも他方の手摺り材１ｂ側に突出した雌ねじ部６で他方の手摺り材１ｂの端部を被嵌した状態となり、手摺り材１の連結作業が完了する。
【００１８】
上記連結作業により図１（ｂ）に示すように夫々の端面が対向した状態で一方の手摺り材１ａと他方の手摺り材１ｂとがしっかりと連結された状態となる。またこの連結状態においては、前述したように雌ねじ部６の軸方向の長さを基台４の軸方向における長さよりも長くしているので、円筒体５の基台４よりも一方の手摺り材１ａ側に突出した部分の内周面（ねじ無し部９）にて一方の手摺り材１ａの端部を被嵌することができ、これによって一層連結強度が向上している。
【００１９】
壁紙を貼る時や、引っ越しの荷物を搬入する時、手摺り材１を交換する時等に、連結された手摺り材１を取り外す場合は、手摺り材１の連結を解除することで行われる。
【００２０】
連結の解除は円筒体５を前記連結作業時における円筒体５の回動方向と反対の方向に回動させることで行われる。この場合、円筒体５に基台４の外径よりも小さい内径を有するねじ無し部９を形成しているので、たとえ誤って円筒体５を螺合する方向と反対側に回動させようとしても、基台４に円筒体５のねじ無し部９が接触し、これにより手摺り材１の取り外し時における円筒体５の誤った方向への回動を防止でき、確実に円筒体５を一方の手摺り材１ａ側に移動するように回動できる。上記円筒体５の回動により、円筒体５の雌ねじ部６と基台４の雄ねじ部３との螺合が解除されると共に円筒体５が一方の手摺り材１ｂ側に移動し、これにより手摺り材１の連結が解除される。
【００２１】
しかして手摺り材１の連結は手摺り材１を長手方向に移動させることなく解除できるようになり、そしてこのように手摺り材１の連結を手摺り材１を長手方向に移動させることなく解除できるので、手摺り材１の両端部の連結を解除するだけで、多数連結された中間部分の手摺り材１を取り外すことが可能となる。すなわち、上記のように中間部分の手摺り材１を取り外すことで、多数連結された手摺り材１のうち中間部分の手摺り材１の両端部の連結を解除するだけで、中間部分の手摺り材１のみを取り外すことが可能となり、これにより手摺り材１の取り外し作業が容易となる。また、このように中間部分の手摺り材１のみを取り外すことができるため、中間部分の手摺り材１を取り外した後に再度手摺り材１を連結してもとの連結状態に戻す場合においても、中間部分の取り外した手摺り材１だけを前述したように取付けるだけで容易にもとの連結状態に戻すことができる。
【００２２】
また本実施形態における手摺りの連結構造においては、両手摺り材１ａ、１ｂは円筒体５と基台４だけで連結されているため、簡単な構成で手摺り材１を連結することができ、また手摺り材１の連結及び取り外しの作業がより一層容易となる。
【００２３】
更に本実施形態においては、雌ねじ部６を有する円筒体５を一方の手摺り材１ａの端部に被嵌することで、手摺り材１を連結していない状態において、たとえ円筒体５が他方の手摺り材１ｂ側に移動して脱落しようとしても、基台４の雄ねじ部３に円筒体５の雌ねじ部６が接触し、これにより一方の手摺り材１ａからの円筒体５の脱落を防止できる。
【００２４】
【発明の効果】
上記のように本発明の請求項１記載の発明にあっては、基台の雄ねじ部と円筒体の雌ねじ部とを螺合すると共にこの螺合された円筒体の基台よりも他方の手摺り材側に突出した雌ねじ部で他方の手摺り材の端部を被嵌することで、一方の手摺り材と他方の手摺り材とをしっかりと連結でき、尚且つ手摺り材の連結の解除は、手摺り材を長手方向に移動させることなく円筒体の雌ねじ部と基台の雄ねじ部との螺合を解除するだけで行えるため、多数連結された手摺り材のうち中間部分の手摺り材を取り外す場合には、中間部分の手摺り材の両端部の連結を解除して中間部分の手摺り材だけを取り外すことが可能となり、これにより手摺り材の取り外し作業が容易となる。また、このように中間部分の手摺り材のみを取り外すことができるため、中間部分の手摺り材を取り外した後に再度手摺り材を連結してもとの連結状態に戻す場合においても、中間部分の手摺り材だけを取付けるだけで容易にもとの連結状態に戻すことができる。さらに両手摺り材は円筒体と基台のみで連結されているため、簡単な構成で手摺り材を連結することができ、これによりコスト削減を実現でき、またより一層連結及び取り外しの作業が容易となる。さらに円筒体の一方の手摺り材側の内周面に基台の外形よりも小さい内径を有するねじ無し部を形成することで、手摺り材の取り外し作業において、たとえ誤って円筒体を螺合する方向と反対側に回動させようとしても、基台に円筒体のねじ無し部が接触し、これにより手摺り材の取り外し時における円筒体の誤った方向への回動を防止でき、確実に円筒体を他方の手摺り材側に移動するように回動できる。また雌ねじ部を有する円筒体を一方の手摺り材の端部に被嵌することで、手摺り材を連結していない状態において、たとえ円筒体が他方の手摺り材側に移動して脱落しようとしても、基台の雄ねじ部に円筒体の雌ねじ部が接触し、これにより一方の手摺り材からの円筒体の脱落を防止できる。
【図面の簡単な説明】
【図１】  本発明の一実施形態の一例を示す手摺りの連結構造を示すものであり、（ａ）は手摺り材が連結していない状態を示す一部断面図であり、（ｂ）は手摺り材が連結した状態を示す一部断面図である。
【図２】  同上の手摺りの連結構造を示す斜視図である。
【図３】  従来の手摺りの連結構造を示すものであり、（ａ）は手摺り材が連結していない状態を示す斜視図であり、（ｂ）は手摺り材が連結した状態を示す斜視図である。  
【符号の説明】
１    手摺り材
１ａ  一方の手摺り材
１ｂ  他方の手摺り材
３  雄ねじ部
４  基台
５  円筒体
６  雌ねじ部
【図１】
0003682279.tif 000002
【図２】
0003682279.tif 000003
【図３】
0003682279.tif 000004